(57)【要約】      （修正有）【課題】包装対象物の転げに気をつかわなくても包装作業のできる包装具及び包装箱を提供する。【解決手段】包装対象物が上に載置される矩形の載置面を持った載置部と、当該載置面の他方の対向辺それぞれに、他方の折り曲げ線を介して上方向に折り曲げ起立可能に設けられた他方と一方一対の押え片と、当該他方と一方の押え片の対向する側端同士を連結して当該他方と一方の起立片の起立状態を保つための他方と一方一対の連結片と、を有し、当該押え片を起立させ当該一対の連結片で連結した状態で包装箱９内に収納可能に構成されていることを特徴とする。載置部の一方の対向辺に、上方向に折り曲げ起立可能な一対の起立片を設けてもよい。押え片と連結片により載置部を取り囲むので、載置面の上に載置された包装対象物の転げを有効に防止することができる。【選択図】図１
2019182544.tif 000002
【特許請求の範囲】
【請求項１】
他方と一方の対向辺を有し包装対象物が上に載置される矩形の載置面を持った載置部と、
当該載置面の他方の対向辺それぞれに、他方の折り曲げ線を介して上方向に折り曲げ起立可能に設けられた他方と一方一対の押え片と、
当該他方と一方の押え片の対向する側端同士を連結して当該他方と一方の起立片の起立状態を保つための他方と一方一対の連結片と、
を有し、
当該押え片を起立させ当該一対の連結片で連結した状態で包装箱内に収納可能に構成されている
ことを特徴とする包装具。    
【請求項２】
前記載置部の一方の対向辺それぞれに、一方の折り曲げ線を介して上方向に折り曲げ起立可能に設けられた他方と他方とからなる一対の起立片と、を有する
ことを特徴とする請求項１記載の包装具。
【請求項３】
他方と他方の対向辺を有し包装対象物が上に載置される矩形の載置面を持った載置部と、
当該載置部の一方の対向辺それぞれに、一方の折り曲げ線を介して上方向に折り曲げ起立可能に設けられた他方と他方とからなる一対の起立片と、を有し、
当該起立片を上方向に折り曲げ起立させた状態で包装箱内に収納可能な包装具において、
当該載置面の一方の対向辺それぞれに、一方の折り曲げ線を介して上方向に折り曲げ起立可能に設けられた他方と他方一対の押え片と、
当該他方と一方の押え片の対向する側端同士を連結して当該他方と一方の起立片の起立状態を保つための他方と他方一対の連結片と、
を有している
ことを特徴とする包装具。
【請求項４】
前記他方の押え片の上端には、前記他方の押え片の上端の長さと同じ長さの下底を有し上に向かって先細りする他方の台形部が連続して設けられ、
前記一方の押え片の上端には、前記一方の押え片の上端の長さと同じ長さの下底を有し上に向かって先細りする一方の台形部が連続して設けられている、
ことを特徴とする請求項１ないし３いずれか記載の包装具。
【請求項５】
前記他方の連結片は、前記他方の押え片の両側からそれぞれ折り曲げ線を介して対向する前記一方の押え片の両側方向に折り曲げ可能に構成された他方と一方の連結小片を有し、
前記一方の連結片は、前記一方の押え片の両側からそれぞれ折り曲げ線を介して対向する前記一方の押え片の両側方向に折り曲げ可能に構成された他方と一方の連結小片を有し、
当該一方の連結小片と対向する一方の連結小片との間に取外し可能な一方の連結構造を有し、
当該一方の連結小片と対向する一方の連結小片との間に取外し可能な一方の連結構造を有することを特徴とする請求項４記載の包装具。
【請求項６】
前記他方の連結構造により連結されたときの前記他方の連結片の上端は前記載置面と略平行に形成され、当該上端には、当該上端の長さと同じ長さの下底を有し上に向かって先細りする他方の台形部が連続して設けられ、
前記一方の連結構造により連結されたときの前記一方の連結片の上端は前記載置面と平略行に形成され、当該上端には、前記一方の連結片の上端の長さと同じ長さの下底を有し上に向かって先細りする一方の台形部が連続して設けられ、
前記一方の連結構造は、当該一方の連結片と当該一方の台形部にまたがって形成され、
前記一方の連結構造は、当該一方の連結片と当該他の台形部にまたがって形成されている
ことを特徴とする請求項５記載の包装具。
【請求項７】
前記包装具は、前記一対の押え片方向に貫通する筒状の熱収縮性フィルムを含み、
当該熱収縮性フィルムは、前記一対の起立片を除いた一部または全部を前記載置面の上に載置された包装対象物とともに熱収縮により被覆可能である
ことを特徴とする請求項２ないし６いずれか記載の包装具
【請求項８】
請求項２ないし７いずれか記載の包装具を収納する上部開閉可能な包装箱であって、
前記起立片を起立状態で収納して上部閉鎖した際の包装具の水平・垂直方向の移動を規制可能な寸法に形成されている
ことを特徴とする包装箱。
【請求項９】
前記包装具は、前記一対の押え片方向に貫通する筒状の熱収縮性フィルムを含み、
当該熱収縮性フィルムは、一部または全部を前記載置面の上に載置された包装対象物とともに熱収縮により被覆可能である
ことを特徴とする請求項１記載の包装具
【発明の詳細な説明】
【技術分野】
【０００１】
本発明は、包装対象物を包装する包装具、及び、当該包装具を収納する包装箱に関する。
【背景技術】
【０００２】
ネットショッピングなどの通信販売の普及により、比較的小さな荷物を各戸へ配送する需要が急激に伸びている。配送される商品の形状や大きさは、さまざまで中には、たとえば袋詰めのシャンプーのような形の変化するものもある。このような様々な包装対象物は包装箱の中に入れられるが、効率よく包装でき安定した状態で配送できる包装具や包装箱が求められている。
【０００３】
この種の包装具として、包装対象物が載置される載置部及び該載置部の両側に夫々折り曲げ線を介して連設される一対の起立部を有する板状部材と、筒状であって少なくとも前記載置部を覆うように該板状部材が挿入される熱収縮性の薄膜部材とを備え、前記板状部材が平坦な展開状態から前記起立部が上方に折り曲げられた起立状態に変形可能な包装具が知られている。この包装具の載置部は、前記展開状態において、板状部材の端縁に沿った両縁部の長さより該縁部に平行な中央部の長さが大に形成されるとともに、 前記起立状態において、前記両縁部より前記中央部が上方なるように曲げられている。
【０００４】
段ボール板紙で形成された前記載置部は、該起立部を起立させたときに、当該凹んだ形状に沿うように曲げられ、前記両縁部より前記中央部が上方になる。この結果、載置部上の包装対象物は上方に押し上げられるので、薄膜部材は該包装対象物を介して上側に引っ張られて緊張しその反力で該包装対象物を保持することを目的とする。
【先行技術文献】
【特許文献】
【０００５】
【特許文献１】特開２０１８−２１７０号公報
【発明の概要】
【発明が解決しようとする課題】
【０００６】
しかしながら、板状部材の端縁に沿った両縁部の長さより該縁部に平行な中央部の長さが大に形成されることで、該起立部を起立させる作業がどうしても複雑になるという問題がある。また、包装時の起立部は包装対象物の転げを防ぐが、載置部の4辺のうち起立部の形成されていない２辺の方向には何もないため転げを防ぐことができないという問題がある。たとえば、スプレー缶のような円筒状のものを包装するときは片手でスプレー缶を押えながら作業を行う必要が出て来る場合が考えられる。また、積み重ねられた複数の袋詰めシャンプーが崩れる場合も想定される。これらに気をつかわなければならないとすれば、これらも作業の複雑化の要因である。
【０００７】
上記した問題を考慮し本発明は、包装対象物の転げに気をつかわなくても包装作業のできる包装具及び包装箱を提供することを目的とする。
【課題を解決するための手段】
【０００８】
かかる目的を達成するために本発明は、次の特徴を備えている。なお、いずれかの請求項に記載された発明を説明するに当たって行う用語の定義等は、その記載順などに関わらず他の請求項に記載された発明にも適用があるものとする。さらに、「他方」と「一方」という表現を用いるが、これは何れかを特定する趣旨ではなく、任意に一方を定めたときにこれに対応して他方が定まる関係を示す。
【０００９】
（請求項１記載の発明の特徴）
請求項１記載の発明にかかる包装具（以下、「請求項１の包装具」という）は、他方と一方の対向辺を有し包装対象物が上に載置される矩形の載置面を持った載置部と、
当該載置面の他方の対向辺それぞれに、他方の折り曲げ線を介して上方向に折り曲げ起立可能に設けられた他方と一方一対の押え片と、当該他方と一方の押え片の対向する側端同士を連結して当該他方と一方の起立片の起立状態を保つための他方と一方一対の連結片と、を有し、当該押え片を起立させ当該一対の連結片で連結した状態で包装箱内に収納可能に構成されていることを特徴とする。    
【００１０】
請求項１の包装具によれば、一対の押え片と一対の連結片によって載置面の上部空間が囲まれるので、載置面の上に載置された包装対象物が転げたり崩れたりしても、それ以上の移動が防止される。したがって、これらの転げや崩れを気にせずに包装作業を行うことができる。この状態であれば、載置した包装対象物を一対の起立片を除く包装具とともに熱収縮フィルムなどで被覆することもできるし、その際の転げや崩れも有効に防止することができる。包装具を収納する包装箱の底面と載置部の下面との間に、包装具の移動制限のために接着層を必要に応じて形成することができる。
【００１１】
（請求項２記載の発明の特徴）
請求項２記載の発明にかかる包装具（以下、「請求項２の包装具」という）は、請求項１の包装具であって、前記載置部の一方の対向辺それぞれに、一方の折り曲げ線を介して上方向に折り曲げ起立可能に設けられた他方と他方とからなる一対の起立片と、を有する  ことを特徴とする。
【００１２】
請求項２の包装具によれば、これを運搬したり包装箱に入れたりなどするために包装具を持ち上げようとするとき、使用者は一対の起立片を両手でつまむだけで目的を果たすことができる。包装対象物が載置されていたり、特にその上を熱収縮フィルムが被覆されていたりする場合に持ち上げづらいことがあるが、起立片をつまむことで、作業を楽にすることができる。
【００１３】
（請求項３記載の発明の特徴）
請求項３記載の発明にかかる包装具（以下、「請求項３の包装具」という）は、 他方と一方の対向辺を有し包装対象物が上に載置される矩形の載置面を持った載置部と、当該載置部の一方の対向辺それぞれに、一方の折り曲げ線を介して上方向に折り曲げ起立可能に設けられた他方と他方とからなる一対の起立片と、を有し、当該起立片を上方向に折り曲げ起立させた状態で包装箱内に収納可能な包装具である。ここで当該載置面の一方の対向辺それぞれに、一方の折り曲げ線を介して上方向に折り曲げ起立可能に設けられた他方と他方一対の押え片と、当該他方と一方の押え片の対向する側端同士を連結して当該他方と一方の起立片の起立状態を保つための他方と他方一対の連結片と、を有していることを特徴とする。
【００１４】
請求項３の包装具によれば、一対の押え片と一対の連結片によって載置面の上部空間が囲まれるので、載置面の上に載置された包装対象物が転げたり崩れたりしても、それ以上の移動が防止される。したがって、これらの転げや崩れを気にせずに包装作業を行うことができる。この状態であれば、載置した包装対象物を一対の起立片を除く包装具とともに熱収縮フィルムなどで被覆することもできるし、その際の転げや崩れも有効に防止することができる。また、包装具を運搬したり包装箱に入れたりなどするために包装具を持ち上げようとするとき、使用者は一対の起立片を両手でつまむだけで目的を果たすことができる。包装対象物が載置されていたり、特にその上を熱収縮フィルムが被覆されていたりする場合に持ち上げづらいことがあるが、起立片をつまむことで、作業を楽にすることができる。
【００１５】
（請求項４記載の発明の特徴）
請求項４記載の発明にかかる包装具（以下、「請求項４の包装具」という）は、請求項１ないし３いずれかの包装具であって、前記他方の押え片の上端には、前記他方の押え片の上端の長さと同じ長さの下底を有し上に向かって先細りする他方の台形部が連続して設けられ、前記一方の押え片の上端には、前記一方の押え片の上端の長さと同じ長さの下底を有し上に向かって先細りする一方の台形部が連続して設けられている、ことを特徴とする。
【００１６】
請求項４の包装具によれば、他方と一方の押え片によって自由がきかない状態、すなわち、包装対象物を確実に保持できる状態になっている。その反面、他方と他方それぞれの台形部は、押え片による拘束を受けず、しかも先細りになっているので、包装対象物の上に覆いかぶさる方向にしなり易い状態にある。このしなり易さは、必須ではないが、たとえば熱収縮フィルムなどで被覆するとき、この熱収縮フィルムの張力により上に覆いかぶさることで包装対象物を確実に保護・保持する。このとき、台形部の頂部はとがっていないので、刺さることで熱収縮フィルムを破ってしまうこともない。
【００１７】
（請求項５記載の発明の特徴）
請求項５記載の発明にかかる包装具（以下、「請求項５の包装具」という）は、請求項４の包装具であって、前記他方の連結片は、前記他方の押え片の両側からそれぞれ折り曲げ線を介して対向する前記一方の押え片の両側方向に折り曲げ可能に構成された他方と一方の連結小片を有し、前記一方の連結片は、前記一方の押え片の両側からそれぞれ折り曲げ線を介して対向する前記一方の押え片の両側方向に折り曲げ可能に構成された他方と一方の連結小片を有し、当該一方の連結小片と対向する一方の連結小片との間に取外し可能な一方の連結構造を有し、当該一方の連結小片と対向する一方の連結小片との間に取外し可能な一方の連結構造を有することを特徴とする。
【００１８】
請求項５の包装具によれば、必須ではないが包装具全体を一枚のシート（たとえば、段ボール紙）で構成することができる。つまり、一枚のシートを所定形状に切り抜き必要な折れ線を形成することで、載置部、一対の起立片、一対の押え片、そして一対の連結片を折り起こし形成することができる。一対の連結片それぞれは、折り起こした他方の連結片と一方の連結片を連結構造により連結すればよい。連結構造は取外し可能であるから、使用後に連結を解除することで一枚のシートに戻すことができる。廃棄も楽であり、再利用も可能となる。
【００１９】
（請求項６記載の発明の特徴）
請求項６記載の発明にかかる包装具（以下、「請求項６の包装具」という）は、請求項５の包装具であって、前記他方の連結構造により連結されたときの前記他方の連結片の上端は前記載置面と略平行に形成され、当該上端には、当該上端の長さと同じ長さの下底を有し上に向かって先細りする他方の台形部が連続して設けられ、前記一方の連結構造により連結されたときの前記一方の連結片の上端は前記載置面と平略行に形成され、当該上端には、前記一方の連結片の上端の長さと同じ長さの下底を有し上に向かって先細りする一方の台形部が連続して設けられ、前記一方の連結構造は、当該一方の連結片と当該一方の台形部にまたがって形成され、前記一方の連結構造は、当該一方の連結片と当該他の台形部にまたがって形成されていることを特徴とする。
【００２０】
請求項６の包装具によれば、他方と一方の連結片によって自由がきかない状態、すなわち、包装対象物を確実に保持できる状態になっている。その反面、他方と一方それぞれの台形部は、連結片による拘束を受けず、しかも先細りになっているので、包装対象物の上に覆いかぶさる方向にしなり易い状態にある。このしなり易さは、必須ではないが、たとえば熱収縮フィルムなどで被覆するとき、この熱収縮フィルムの張力により上に覆いかぶさることで包装対象物を確実に保護・保持する。このとき、台形部の頂部はとがっていないので、刺さることで熱収縮フィルムを破ってしまうこともない。
【００２１】
（請求項７記載の発明の特徴）
請求項７記載の発明にかかる包装具（以下、「請求項７の包装具」という）は、請求項２ないし６の包装具であって、当該包装具は、前記一対の押え片方向に貫通する筒状の熱収縮性フィルムを含み、当該熱収縮性フィルムは、前記一対の起立片を除いた一部または全部を前記載置面の上に載置された包装対象物とともに熱収縮により被覆可能であることを特徴とする。
【００２２】
請求項７の包装具によれば、一対の起立片を除いた包装具の一部または全部が包装対象物とともに熱収縮性フィルムで覆われているので、当該包装対象物の保持を確実に行うことができる。一方、一対の起立片は被覆されていないので自由な状態にあるから、これらを手でつかむことにより包装箱内への出し入れを簡単に行うことができる。
【００２３】
（請求項８記載の発明の特徴）
請求項８記載の発明にかかる包装箱（以下、「請求項８の包装箱」という）は、請求項２ないし７いずれかの包装具を収納する上部開閉可能な包装箱であって、前記起立片を起立状態で収納して上部閉鎖した際の包装具の水平・垂直方向の移動を規制可能な寸法に形成されていることを特徴とする。
【００２４】
請求項８の包装箱によれば、収納した包装具の載置部が水平方向の移動を、一対の起立片が垂直方向の移動を主として制限する。包装箱の底面と載置部の下面との間に接着層を形成することを妨げるものではないが、移動制限により、載置部の裏面を包装箱に接着する必要がなくなるので包装作業が楽になる。また、取り出すに際しても一対の起立部を持って持ち上げるだけで済むので非常に使い勝手がよい。接着剤を使わないということは、環境への負荷をなくすことにもなる。
【００２５】
（請求項９記載の発明の特徴）
請求項９記載の発明にかかる包装具（以下、「請求項９の包装具」という）は、請求項１の包装具であって、前記包装具は、前記一対の押え片方向に貫通する筒状の熱収縮性フィルムを含み、当該熱収縮性フィルムは、一部または全部を前記載置面の上に載置された包装対象物とともに熱収縮により被覆可能であることを特徴とする。
【発明の効果】
【００２６】
本発明によれば、包装対象物の転げに気をつかわなくても包装作業のできる包装具及び包装箱を提供することができる。
【図面の簡単な説明】
【００２７】
【図１】本実施形態の包装具と包装箱の斜視図である。
【図２】本実施形態の包装具の展開平面図である。
【図３】組み立てた本実施形態の包装具の斜視図である。
【図４】本変形例の包装具と包装箱の斜視図である。
【図５】本変形例の包装具の展開平面図である。
【図６】組み立てた本変形例の包装具の斜視図である。
【発明を実施するための形態】
【００２８】
（包装具と包装箱）
本発明の一実施形態（以下、「本実施形態」という）を図面に基づいて説明する。図１に示すように、本実施形態の包装具１は、好ましくは１枚の段ボール紙を抜き型で打ち抜くなどして作った板状部材３と、必要に応じて包装対象物を被覆する熱収縮性フィルム（薄膜部材）５とを有する。包装具１は、板状部材３の一部と、熱収縮性フィルム５との間に包装対象物Ｇを保持して、これを包装箱９内に収納するものである。この包装箱９は、その上蓋９ａ〜９ｂを開閉できるようになっていて、そのまま包装箱としてもよく、図示はしていないがさらに大きな包装箱内に２箱以上を並べたり重ねたりして収納するものであってもよい。
【００２９】
（板状部材の概略構成）
図２および３に示すように、板状部材３は、載置部１１と、一対の起立片１３ａ，１３ｂと、一対の押え片１５ａ，１５ｂと、組立後に対となる一対の連結片１７ａ，１７ｂから概略構成されている。
【００３０】
載置部１１は、テーブルの上などに置いたときに上面となる包装対象物Ｇを載置するための載置面１１ａを有する。載置面１１ａは、矩形であり、その大きさは、包装対象物の大きさ、形状、個数などによりさまざまである。たとえば、合成樹脂製の円筒容器に入ったヘアートリートメントと、その詰め替え液の入った柔軟性容器２個との合計３個の包装対象物群Ｇを重ねた状態で包装するためには、たとえば、長辺２５センチ、短辺１８センチほどの寸法の大きさのものを好適に用いることができる（以下、この寸法と併せ以下に述べる寸法を持つ包装具を「サンプル包装具」という）。
【００３１】
（起立片の構造）
図２に示すように載置部１１（載置面１１ａ）を囲む４辺において、一方の対向辺に折り曲げ線１１ｋ，１１ｋを形成し、一方の対向辺に折り曲げ線１１ｍ，１１ｍが形成されている。ここで、折り曲げ線１１ｋ，１１ｋを介して他方と他方からなる一対の起立片１３ａ，１３ｂが形成されている。起立片１３ａ．１３ｂはそれぞれ折り曲げ線１１ｋ，１１ｋを介して上方向（図２の紙面手前方向）に折り曲げ起立できる矩形片である。サンプル包装具における起立片の載置面１１ａから見た高さ寸法は、１２センチ前後が一般的である。後述するように、好ましい起立片１３ａ．１３ｂは、包装箱９の中に包装対象物Ｇ（図１）を収納するときの差入や、逆にときの取り出しの際に指でつまめるようにする機能と、包装箱９内で主として上下動を規制する機能を少なくとも持っている。
【００３２】
（押え片の構造）
折り曲げ線１１ｍ，１１ｍには、一対の押え片１５ａ、１５ｂが形成されている。押え片１５ａ、１５ｂは、折り曲げ線１１ｍ，１１ｍを介して上方向に折り曲げ起立できる矩形片である。一方および一方の押え片１５ａ、１５ｂの上端には、これと同じ長さの下底を有し上に向かって先細りする一方および他能の台形部１５ａｄ，１５ｂｄが連続して設けられていることが好ましい。
【００３３】
（連結片の構造）
押え片１５ａの両側には、折り曲げ線１５ｓ，１５ｓを介して一方の連結小片１７ａｐと他方の連結小片１７ｂｐが対向する押え片１５ｂの両側方向に折り曲げ可能に構成されている。一方、押え片１５ｂの両側には、折り曲げ線１５ｓ，１５ｓを介して他方の連結小片１７ａｐ´と一方の連結小片１７ｂｐ´が対向する押え片１５ｂの両側方向に折り曲げ可能に構成されている。
【００３４】
（連結構造の構成）
連結小片１７ａｐの、折り曲げ線１５ｓと反対側の端には、山部１９ａｎが形成され、山部１９ａｎの折り曲げ線１５ｓ側に細身の谷部１９ａｓが形成されている。谷部１９ａｓは、上端開放で折り曲げ線１５ｓとほぼ平行に形成されている。一方、連結小片１７ａｐ´の、折り曲げ線１５ｓと反対側の端には、逆さ山部１９ａｎ´が形成され、逆さ山部１９ａｎの折り曲げ線１５ｓ側に細身の逆さ谷部１９ａｓ´が形成されている。谷部１９ａｓ´は、下端開放で折り曲げ線１５ｓとほぼ平行に形成されている。ここで連結小片１７ａｐと連結小片１７ａｐ´それぞれを折り曲げ線１５ｓ，１５ｓで互いに対向する連結小片側に折り曲げる。このとき併せて山部１９ａｎを逆さ谷部１９ａｓ´に差し込み、かつ、逆さ山部１９ａｎ´を谷部１９ａｓに差し込むことで両連結小片１７ａｐ，１７ａｐ´がほぼ直線状態で取外し可能に連結される。山部１９ａｎ、谷部１９ａｓ、逆さ山部１９ａｎ´、逆さ谷部１９ａｓ´により、本実施形態の一方の連結構造１９ａが構成されている。
【００３５】
次は、他方の連結構造１９ｂについて説明する。連結構造１９ｂは連結構造１９ａを同じ構造を有している。すなわち、連結小片１７ｂｐの、折り曲げ線１５ｓと反対側の端には、山部１９ｂｎが形成され、山部１９ｂｎの折り曲げ線１５ｓ側に細身の谷部１９ｂｓが形成されている。谷部１９ｂｓは、上端開放で折り曲げ線１５ｓとほぼ平行に形成されている。一方、連結小片１７ｂｐ´の、折り曲げ線１５ｓと反対側の端には、逆さ山部１９ｂｎ´が形成され、逆さ山部１９ｂｎの折り曲げ線１５ｓ側に細身の逆さ谷部１９ｂｓ´が形成されている。谷部１９ｂｓ´は、下端開放で折り曲げ線１５ｓとほぼ平行に形成されている。ここで連結小片１７ｂｐと連結小片１７ｂｐ´それぞれを折り曲げ線１５ｓ，１５ｓで互いに対向する連結小片側に折り曲げる。このとき併せて山部１９ｂｎを逆さ谷部１９ｂｓ´に差し込み、かつ、逆さ山部１９ｂｎ´を谷部１９ｂｓに差し込むことで両連結小片１７ｂｐ，１７ｂｐ´がほぼ直線状態で取外し可能に連結される。山部１９ｂｎ、谷部１９ｂｓ、逆さ山部１９ｂｎ´、逆さ谷部１９ｂｓ´により、本実施形態の他方の連結構造１９ｂが構成されている。
【００３６】
連結構造１９ａと連結構造１９ｂを連結されるには、まず押え片１５ａと押え片１５ｂを起立させる必要がある。起立させた状態で連結小片１７ａｐ，１７ａｐ´，１７ｂｐ，１７ｂｐ´を折り曲げることにより、連結構造１９ａ，連結構造１９ｂを機能させることができるからである。連結構造１９ａ，連結構造１９ｂの連結により、連結小片１７ａｐ，１７ａｐ´，１７ｂｐ，１７ｂｐ´が起立し、押え片１５ａ，１５ｂとともに載置面１１ａの上に載置された包装対象物Ｇを取り囲むことができる。この取り囲みが、包装対象物Ｇが載置面１１ａ上から転げたり崩れたりすることが防止される。
【００３７】
一方の連結構造１９ａにより連結されたときの連結片１７ａの仮想の上端（図２等では区別して表示していない）は載置面１１１ａと略平行に形成され、当該上端には、当該上端の長さと同じ長さの下底を有し上に向かって先細りする台形部１７ａｄが連続して設けられている。また  連結構造１９ｂにより連結されたときの連結片１７ｂの上端（図２等では区別して表示していない）は載置面１１ａと平略行に形成され、当該上端には、連結片１７ｂの上端の長さと同じ長さの下底を有し上に向かって先細りする台形部１７ｂｄが連続して設けられている。ここで連結構造１９ａは、連結片１７ａと台形部１７ａｄにまたがって形成され、連結構造１９ｂは、連結片１７ｂと台形部１７ｂｄにまたがって形成されている。
【００３８】
（熱収縮性フィルム）
熱収縮性フィルム５は、一対の起立片１３ａ，１３ｂを除いた包装具１の一部または全部を載置面１１ａの上に載置された包装対象物Ｇとともに熱収縮により被覆可能な大きさとすることが好ましい。この被覆により、台形部１５ａｄ、１５ｂｄ，１７ａｄ，１７ｂｄそれぞれが熱収縮によりしならされて包装対象物Ｇに覆いかぶさるような材質・大きさ・熱収縮率の熱収縮性ふぃりむを選択することが望まれる。包装対象物に対する包装対象物Ｇの抱え込みをしっかりと行うことで、運搬中の転げや崩れを防止するためである。
【００３９】
（包装手順）
次に、図１ないし３を参照して、包装具１を用いて包装対象物Ｇを包装する手順について説明する。
【００４０】
まず図２に示す状態で押え片１５ａ，１５ｂを折り曲げ線１１ｍ，１１ｍに沿って折り起こす。次に、折り曲げ線１５ｓ，１５ｓ，１５ｓ，１５ｓに沿って連結小片１７ａｐ，１７ａｐ´，１７ｂｐ，１７ｂｐ´を折り曲げて連結構造１９ａ，１９ｂで連結させ連結片１７ａ，１７ｂを完成させる。このとき一対の起立片１３ａ，１３ｂは、折り起こさないでそのままにしておく。このとき、載置面１１ａは、押え片１５ａ，１５ｂ，連結片１７ａ，１７ｂにより横四方が囲まれた状態になっている。
【００４１】
ここで、包装対象物Ｇを載置面１１ａの上に載置し、一対の起立片１３ａ，１３ｂ以外の部分を熱収縮フィルム５で被覆する。この状態で包装対象物Ｇは、下方は載置部１により１、横四方は押え片１５ａ，１５ｂ，連結片１７ａ，１７ｂにより、上方は台形部１５ａｄ、１５ｂｄ，１７ａｄ，１７ｂｄによりほぼ包囲され、さらにその外側を熱収縮性フィルムが被覆している。したがって、包装具１に対して包装対象物Ｇが一体化されているため、位置ズレしたり包装対象物が転げたり崩れたりすることが防止される。繰り返すが、一対の起立片１３ａ，１３ｂは被覆されず自由な状態にある。
【００４２】
ここで一対の起立片１３ａ，１３ｂを起立させ、これらを持って上方の上蓋９ａ〜９ｄを開放させた包装箱９内に収納し、上蓋９ａ〜９ｂを閉鎖し粘着テープ（図示を省略）で封鎖して包装作業を完了する。包装箱９の内寸法は、載置部１１や起立片１３ａ，１３ｂの最大寸法とほぼ一致させてあるので、包装箱９内で包装具１と包装対象物９の移動が規制される。これによって、包装具１を包装箱に接着剤などを用いて接着する必要もない。
【００４３】
包装対象物Ｇの取り出しは、上蓋９ａ〜９ｂを開放し、起立片１３ａｍ１３ｂを持って引き上げるだけでよい。そこで熱収縮性フィルム５を破れば包装対象物Ｇを手にすることができる。熱収縮性フィルム５を取り除いた後の包装具１は、連結構造１９ａ，１９ｂを解除して折り曲げられていた各部位を戻すことで１枚の段ボール紙に戻る。再利用や廃棄がとても楽にできる。
【００４４】
（本実施形態の変形例）
図４ないし６を参照しながら、本実施形態の変形例（以下、「本変形例」という）を説明する。本変形例が本実施形態と異なるのは、本変形例では省略した一対の起立片を本実施形態が有する点である。このため、図４ないし６では、図１ないし３で使用した符号を、そのまま使用する。ただし、本実施形態の包装具１は、本変形例では包装具１Ａと表示する。
【００４５】
（包装具と包装箱）
図４に示すように本変形例の包装具１Ａは、好ましくは１枚の段ボール紙を抜き型などで打ち抜くなどして作った板状部材３と、必要に応じて包装対象物を被覆する熱収縮性フィルム（薄膜部材）５とを有する点を含め包装具１と基本的な構成・作用の点で共通する。以下においては、異なる部位の説明を主として行い、共通する部位についての説明は、重複を避けるため可能な範囲で省略する。
【００４６】
繰り返しになるが本変形例では、一対の起立片が省略されている。このため載置部１１（載置面１１ａ）を囲む４辺は、他方の対向辺の打ち抜き端１２ｋ，１２ｋと、一方の対向辺に折り曲げ線１１ｍ，１１ｍによって形成されている。
【００４７】
本実施形態において好ましい起立片１３ａ，１３ｂは、包装箱９内で主として上下動を規制する機能を有しているが、本変形例では、その機能が得られない。そこで、あくまでも任意であるが、図４に示すように、包装箱９の底面と載置部３ａの下面（裏面）との間に、接着剤Ｂやこの代替物によって接着層を形成するとよい。収納された包装具１Ａと包装対象物Ｇが運送中などに位置ズレしたり暴れたりすることを防ぐためである。
【００４８】
（包装手順）
次に、図４ないし６を参照して、包装具１Ａを用いて包装対象物Ｇを包装する手順について説明する。
【００４９】
まず図２に示す状態で押え片１５ａ，１５ｂを折り曲げ線１１ｍ，１１ｍに沿って折り起こす。次に、折り曲げ線１５ｓ，１５ｓ，１５ｓ，１５ｓに沿って連結小片１７ａｐ，１７ａｐ´，１７ｂｐ，１７ｂｐ´を折り曲げて連結構造１９ａ，１９ｂで連結させ連結片１７ａ，１７ｂを完成させる。このとき、載置面１１ａは、押え片１５ａ，１５ｂ，連結片１７ａ，１７ｂにより横四方が囲まれた状態になっている。
【００５０】
ここで、包装対象物Ｇを載置面１１ａの上に載置し、全体の可能な範囲を熱収縮フィルム５で被覆する。この状態で包装対象物Ｇは、下方は載置部１により１、横四方は押え片１５ａ，１５ｂ，連結片１７ａ，１７ｂにより、上方は台形部１５ａｄ、１５ｂｄ，１７ａｄ，１７ｂｄによりほぼ包囲され、さらにその外側を熱収縮性フィルムが被覆している。したがって、包装具１に対して包装対象物Ｇが一体化されているため、位置ズレしたり包装対象物が転げたり崩れたりすることが防止される。
【００５１】
ここで包装具１Ａを持って上方の上蓋９ａ〜９ｄを開放させた包装箱９内に収納し、上蓋９ａ〜９ｂを閉鎖し粘着テープ（図示を省略）で封鎖して包装作業を完了する。包装箱９の底面上には、予め接着剤Ｂを滴下しておく（図４参照）。包装箱９底面の内寸法は、載置部１１の最大寸法とほぼ一致させておくことが好ましく、接着剤Ｂの働きと相まって包装箱９内で包装具１と包装対象物９の水平方向・垂直方向の移動が規制される。包装箱９底面の内寸法より載置部１１の最大寸法が小さい場合であっても、接着剤Ｂを滴下しておけば、それだけでも水平方向、垂直方向の移動が防止できる。なお、図４に示す接着剤Ｂは、ディスペンサー装置（図示を省略）などによって自動滴下するように構成してもよい。
【００５２】
包装対象物Ｇの取り出しは、上蓋９ａ〜９ｂを開放し、接着剤（接着層）Ｂを剥がしながら引き上げることで行う。熱収縮性フィルム５を破れば包装対象物Ｇを手にすることができる。熱収縮性フィルム５を取り除いた後の包装具１Ａは、連結構造１９ａ，１９ｂを解除して折り曲げられていた各部位を戻すことで１枚の段ボール紙に戻る。再利用や廃棄がとても楽にできる。
【符号の説明】
【００５３】
１，１Ａ        包装具
３              板状部材
５              熱収縮性フィルム
９              包装箱
９ａ〜ｄ        上蓋
１１              載置部
１１ａ            載置面
１１ｋ            折り曲げ線
１２ｋ            打ち抜き端
１３ａ            一方の起立片
１３ｂ            他方の起立片
１５ａ            一方の押え片
１５ｂ            他方の押え片
１５ａｄ          一方の台形部
１５ｂｄ          他方の台形部
１５ｓ            折り曲げ線
１７ａ            一方の連結片
１７ａｄ          一方の台形部
１７ａｐ          一方の連結小片
１７ａｐ´        他方の連結小片
１７ｂ            他方の連結片
１７ｂｄ          他方の台形部
１７ｂｐ          一方の連結小片
１７ｂｐ´        他方の連結小片
１９ａ            一方の連結構造
１９ｂ            他方の連結構造
Ｇ            包装対象物（群）
【図１】
2019182544.tif 000003
【図２】
2019182544.tif 000004
【図３】
2019182544.tif 000005
【図４】
2019182544.tif 000006
【図５】
2019182544.tif 000007
【図６】
2019182544.tif 000008